(57)【要約】 【課題】ブロックの段数等が所望の数値に設定された編み図を作図でき、かつこのような編み図を容易に作図することができる編地の構成図を提供する。【解決手段】アークニット編みの編地を示す編地構成図であって、略扇形Ｓ１を有し、中心点Ｏと、中心点Ｏを中心とする中心角が９０度であって中心点Ｏからの距離が異なる複数の円弧Ａと、中心点Ｏと略扇形Ｓ１の円弧部Ａ１とを通る複数の直線Ｌと、直線Ｌの延びる方向に配列された一対の丸括弧を有し隣接する円弧Ａ間に有する編みの段数又は目数が丸括弧の内部に記載された記載部Ｎ１と、を備える。【選択図】図１
0003198154.tif 000002
【実用新案登録請求の範囲】
【請求項１】
編地を示す編地構成図であって、
略扇形の図を有し、
前記略扇形の中心点と、
前記中心点を中心とする中心角が９０度であって前記中心点からの距離が異なる複数の円弧と、
前記中心点と前記略扇形の円弧部とを通る複数の直線と、
前記直線の延びる方向に配列された一対の丸括弧を有し、隣接する前記円弧間に有する編みの段数又は目数が前記丸括弧の内部に記載された記載部と、
を備えることを特徴とする編地構成図。
【考案の詳細な説明】
【技術分野】
【０００１】
本考案は、編地の構成を示す編地構成図に関する。
【背景技術】
【０００２】
編み物の形状及び大きさ並びに編み方の手順などの編み物の製作に必要な情報について線図や記号を用いて表示された図面として、編み図がある（例えば下記特許文献１の図１等参照）。編み図は、編み物の設計図や洋裁の型紙に相当するものであり、主として編み物の製作者に利用される。そして、編み図に示された寸法及び手順に沿って、編み物が製作される。
【０００３】
ところで、編み物の編み方の一つとして、一点の方向に編み目が集中するように編む、いわゆる求心編みと呼ばれるものがある。この求心編みによれば、求心点から放射状に広がる段柄の模様（以下、「求心模様」という。）を有する編み物が製作される。
【０００４】
このような求心編みの編み図は、従来、次のような手順を経て作図されていた。まず、編み図が描かれる紙面上に、製作される編み物の輪郭線が描かれる。次いで、図面の輪郭線に囲まれた領域に、採用される求心模様の段柄の構成及び配置が示される。また、図面の輪郭線に囲まれた領域のうち求心模様が形成される領域には、求心模様の段柄や目柄に応じて、求心点を中心とする同心円あるいは同心円弧が求心点から所定の距離毎に描かれるとともに、所定の角度おきに求心点から延びる直線が描かれる。また、上記した同心円あるいは同心円弧、及び直線に囲まれた個々の領域（以下、「ブロック」という。）に相当する部分を編む場合に必要な編みの段数あるいは目数が算出される。この各ブロックの段数等の算出は、予め設定された、製作される編み物の編み目のゲージ（編み物の単位距離当たりの編みの段数及び目数）の値に基づいて計算される。算出された数値は、端数処理され図面に記載される。これにより、編み物の各寸法は、長さに代えてあるいは長さとともに編み目の段数及び目数で表記がされる。
【先行技術文献】
【特許文献】
【０００５】
【特許文献１】特開２０１４−５５３９０号公報
【考案の概要】
【考案が解決しようとする課題】
【０００６】
しかしながら、上記した従来の編み図の作図法によれば、編み物の輪郭線が描かれた後に、段柄に応じた各ブロックが描かれ、これにより各ブロックの段数等が計算される。そのため、このような計算が面倒であり作図が容易ではない。また、算出される数値が常に所望の数値になるとは限らないので、例えば、算出された縦編の段数が奇数となる場合には、いわゆるストレッチ編みの構成が採用できないなど、算出された段数等の数値によっては採用可能な編み方が限定される場合が生じるといった問題がある。
【０００７】
以上のような事情に鑑み、本考案は、ブロックの段数等が所望の数値に設定された編み図を作図でき、かつこのような編み図を容易に作図することができる編地の構成図を提供することを目的とする。
【課題を解決するための手段】
【０００８】
編地を示す編地構成図であって、略扇形の図を有し、中心点と、中心点を中心とする中心角が９０度であって中心点からの距離が異なる複数の円弧と、中心点と略扇形の円弧部とを通る複数の直線と、直線の延びる方向に配列された一対の丸括弧を有し、隣接する円弧間に有する編みの段数又は目数が丸括弧の内部に記載された記載部と、を備える。これをアークニットと呼ぶ。
【考案の効果】
【０００９】
本考案の編地構成図によれば、編み図が編地構成図を用いて作図されることにより、編み図のブロックの段数等の数値は所望の数値に設定されるので、所望の編み方に適合した編み図を作図することができる。また、このような編み図を容易に作図することができる。
【図面の簡単な説明】
【００１０】
【図１】（ａ）は第１実施形態に係る編地構成図の一例を示す平面図、（ｂ）は（ａ）の編地構成図に記載された数値の計算例を示す図である。
【図２】（ａ）は第２実施形態に係る編地構成図の一例を示す平面図、（ｂ）は（ａ）の編地構成図に記載された数値の計算例を示す図である。
【図３】（ａ）は第３実施形態に係る編地構成図の一例を示す平面図、（ｂ）は（ａ）の編地構成図に記載された数値の計算例を示す図である。
【図４】（ａ）は第４実施形態に係る編地構成図の一例を示す平面図、（ｂ）は（ａ）の編地構成図に記載された数値の計算例を示す図である。
【図５】（ａ）は第５実施形態に係る編地構成図の一例を示す平面図、（ｂ）は（ａ）の編地構成図に記載される数値の計算例を示す図である。
【図６】本考案の編地構成図を用いた編み図の作図方法を示す概略平面図である。
【考案を実施するための形態】
【００１１】
以下、本考案の実施形態について図面を参照しながら説明する。ただし、本考案はこれに限定されるものではない。また、以下の実施形態を説明するため、図面においては一部分を大きくまたは強調して記載するなど適宜縮尺を変更して表現している。なお、本明細書において、図面を参照した上下および左右の向きの記載については、特段の記載のない限り、図面を図中の符号の向きに見た場合である。
【００１２】
＜第１実施形態＞
第１実施形態に係る編地構成図について図１を用いて説明する。図１（ａ）は本実施形態に係る編地構成図１００の一例を示す平面図であり、図１（ｂ）は図１（ａ）に記載される数値の計算例を示す図である。
【００１３】
編地構成図１００は、紙製の図面であり、アークニット地の構成が図示されている。このような編地構成図１００は、後述するように、アークニット編みによるデザインを有する編み物の編み図（不図示）を作製する際に用いられる。アークニット編みの編地は、中心点Ｏを中心とする略円形状に形成され、中心点Ｏから放射状に広がるような分散模様を有している。また、アークニット編みの編地の構成は、中心点Ｏに対して略対称である。そのため、編地構成図１００は、編地の略円形のうち、図１（ａ）に示すように、その４分の１を形成しかつ中心点Ｏを頂点とする略扇形部分の構成のみが図示され、他の部分に係る構成の図示については省略されている。なお、上述した編地構成図１００に関する事項は、後述する他の実施形態に係る編地構成図２００等についても同様である。
【００１４】
編地構成図１００は、アークニット編みを縦編で編む場合の構成図である。編地構成図１００が示す編地は、中心点Ｏから径方向に（放射方向に）段を重ねるように、あるいは円周側から中心点Ｏに向けて径方向に段を重ねるように編まれていく。なお、後述する第２〜第４実施形態に係る編地構成図２００，３００，４００についても同様である。
【００１５】
編地構成図１００は、紙体Ｐを有している。紙体Ｐは、表面に編み地の構成が記載される。紙体Ｐは、例えば所定の大きさの矩形形状の白紙である。なお、紙体Ｐとしては、厚紙、方眼紙、コピー用紙などが用いられてもよく、編地の構成に関する情報が記載可能でありかつその記載のスペースを有するものであれば、紙体Ｐの色、形状、大きさ、及び材質などについては特に限定はされない。
【００１６】
紙体Ｐの表面には、アークニット編みの編地の４分の１を形成しかつ中心点Ｏを頂点とする略扇形部分の構成が記載されている。紙体Ｐの表面には、略扇形Ｓ１と、中心点Ｏと、円弧Ａと、直線Ｌと、第１記載部Ｎ１と、第２記載部Ｎ２と、ゲージＧ１と、編地の径方向の所定寸法Ｒ１とが記載されている。
【００１７】
略扇形Ｓ１は、編地構成図１００により示される編地の略扇形部分の外郭線に相当する。略扇形Ｓ１は、中心点Ｏを中心点とする略扇形である。略扇形Ｓ１の中心角θは９０度に設定される。略扇形Ｓ１は、紙体Ｐの左上側に中心点Ｏが位置するように配置されており、中心点Ｏからそれぞれ右方向及び下方向に引き出された直線Ｌ１，Ｌ２と、この直線Ｌ１，Ｌ２の先端どうしを接続する円弧Ａ１とを有する構成となっている。また、略扇形Ｓ１の内部の領域には、後述する直線Ｌ及び円弧Ａが記載されており、これにより隣接する直線Ｌと隣接する円弧Ａとにより囲まれて形成されるブロックＢが多数形成されている。なお、紙体Ｐに図示される略扇形Ｓ１については、中心点Ｏの位置は左上に限定されず、左下や右上などであってもよく任意である。また、円弧Ａ１は、直線Ｌ１，Ｌ２の一部分どうしを結ぶ構成であればよく、直線Ｌ１，Ｌ２の先端どうしを接続する構成に限定されない。なお、上記した略扇形Ｓ１に関する変形事項については、後述する他の実施形態に係る略扇形Ｓ２〜Ｓ５についても同様に適用可能である。
【００１８】
中心点Ｏは、編地構成図１００が示すアークニット編みの編地の中心となる。アークニット編みの編地においては、この中心点Оから放射方向に段柄が形成される。
【００１９】
円弧Ａは、中心点Ｏを中心とし中心角θが９０度の扇形の円弧に相当する。円弧Ａは、編地構成図１００において１２本記載されている。これら１２本の円弧Ａのそれぞれは、中心点Ｏからの距離が異なっている。円弧Ａは、直線Ｌ１と直線Ｌ２とを結ぶように形成され配置されている。
【００２０】
直線Ｌは、中心点Ｏから引き出されるように略扇形Ｓ１の円弧Ａ１まで形成されている。直線Ｌは、編地構成図１００において１１本記載されている。これら１１本の直線Ｌのそれぞれは、隣接する直線Ｌどうしのなす角度が同一となるように記載されている。なお、１１本の直線Ｌの一部または全部は、円弧Ａ１まで記載されていなくてもよく、円弧Ａ１と交差しさらに延びるように記載されてもよい。
【００２１】
第１記載部（記載部）Ｎ１は、直線Ｌ１の延びる方向（上下方向）に配列された一対の丸括弧を有している。第１記載部Ｎ１は、数値と、当該数値の向きに図面を見た場合の上下方向から当該数値を挟み込む一対の丸括弧とを有している。第１記載部Ｎ１は、ブロックＢを構成する編みの段数（隣接する円弧Ａ間に有する編み目の段数）を表示するものであり、一対の丸括弧内には当該段数が記載されている。第１記載部Ｎ１が表示する段数は４段となっている。このような第１記載部Ｎ１は、上下方向に延びる直線Ｌ１に沿って複数が記載されており、これら複数の第１記載部Ｎ１により各ブロックＢにおける編みの段数がそれぞれ表示されている。
【００２２】
第２記載部Ｎ２は、円弧Ａ１方向に配列された一対の丸括弧を有している。第２記載部Ｎ２は、数値と、当該数値の向きに図面を見た場合の左右方向から当該数値を挟み込む一対の丸括弧とを有している。第２記載部Ｎ２は、ブロックＢ１が有する２つの円弧部分のうち外側の（中心点Ｏから離れた方の）円弧部分ａを構成する編みの目数を表示するものであり、一対の丸括弧内には当該目数が記載されている。第２記載部Ｎ２が表示する目数は１２目となっている。また、中心点Ｏからの距離がブロックＢ１と同一である他のブロックＢにおける編み目の目数についても、ブロックＢ１の編み目の目数と同一となっている。このような第２記載部Ｎ２は、中心点ＯからブロックＢ１の方向に沿って、複数記載されており、これにより各ブロックＢの外側の円弧部分を形成する編み目の目数がそれぞれ表示されている。
【００２３】
ゲージＧ１は、編地において、径方向に１０ｃｍの長さを編む場合に必要な段数と、円周方向に１０ｃｍの長さを編む場合に必要な目数とを表示するものである。ゲージＧ１は、略Ｌ字状の記号を有し、この記号の左側に上記段数、この記号の下側に上記目数が記載されている。上記の点は、後述する他の実施形態に係るゲージＧ２〜Ｇ４についても同様である。ゲージＧ１の段数は１３、目数は２１に設定されている。
【００２４】
紙体Ｐの表面に縮尺が記載される場合、縮尺の記載位置は任意である。また、縮尺の値は、任意に設定可能である。
【００２５】
編地の径方向の所定寸法Ｒ１は、中心点Ｏから所定のブロックＢの外側の端部までの距離である。編地構成図１００が示す編地はいわゆる４段柄となっている。すなわち、編地構成図１００の編地は、中心点Ｏから径方向に４段進むことにより１つの柄が形成されるパターンの模様を有している。そして、所定寸法Ｒ１は、中心点Ｏから径方向に４ブロック進みさらに同方向に４ブロック分進んだ場合の中心点Ｏからの距離（中心点Ｏと中心点Ｏから８ブロック目の端部との距離）に設定されている。
【００２６】
ところで、編地構成図１００の構成の一部を切り取って編み図に利用する場合、４段柄の模様を崩さないように、中心点Ｏから径方向に４ブロック単位で進んだ位置で中心点Ｏを中心とする円周方向に切断することが好ましい。そして、例えば、編地構成図１００の構成を用いて編まれるセーターの編み図が作図される場合、中心点Ｏから径方向に４ブロック分進んだ位置で円周方向に切断してこの切断した部分をセーターのネック部とし、かつ、中心点Ｏから径方向に４ブロックの２倍の８ブロック分進んだ位置で円周方向に切断する構成を採用することが考えられるが、この場合、編み図の作図者は、編地構成図１００を参照するだけで所定寸法Ｒ１を把握することができ、所定寸法Ｒ１に応じて編み物の寸法を決定する。編地構成図１００では、この所定寸法Ｒ１は、長さが２４.６ｃｍであり、編み目の段数に置き換えると３２段となる。
【００２７】
次に、編地のブロックＢの段数及びゲージＧ１の値が設定されている場合に、所定寸法Ｒ１の長さ及び編地構成図１００において中心点Ｏを中心とする円周方向に形成されるブロックＢの形成数を求める計算の一例について説明する。なお、数値に小数点以下３桁の端数が生じる場合、数値は、すべて小数点以下３桁を四捨五入して小数点以下２桁までの数値とする。ただし、数値の端数処理を行うか否か及び端数処理を行う場合の処理方法については任意である。この端数処理に関する事項については、後述する他の実施形態に係る計算の説明についても同様である。以下、図１（ｂ）を参照しながら説明する。
【００２８】
所定寸法Ｒ１の長さは、上記のとおり８ブロック分の径方向の長さである。従って、所定寸法Ｒ１の長さ（２４．６１ｃｍ）は、ブロックＢの編みの段数（４）に８を乗じ、さらに編地の径方向の１ｃｍ当たりの段数（１．３）で除することにより算出される。
【００２９】
また、中心点Ｏを中心とする円周方向に形成されるブロックＢの数の計算については、以下のとおりである。まず、所定寸法Ｒ１を半径とする円の直径（４９．２３ｃｍ）が計算される。次いで、これに円周率（３．１４）を乗じると、当該円の円周の長さ（１５４．５８ｃｍ）が算出される。さらに、これに編地の円周方向１ｃｍ当たりの目数（２．１）を乗じると、所定寸法Ｒ１を半径とする円形の編地の円周の目数（３２４．６２目）が算出される。続いて、これを４で除して円弧Ａ２（図１（ａ）参照）の編みの目数（８１．１６目）を計算し、さらにこれを中心点Ｏから８段目のブロックＢにおける外側（中心点Ｏからより離れている側）の円弧部分の編みの目数（８目）で除すると、略扇形Ｓ１において中心点Ｏを中心とする円周方向に形成されるブロックＢの形成数（１０ブロック）が算出される。例えばこのような計算により、編地構成図１００の作図に必要な各数値が導き出される。
【００３０】
＜第２実施形態＞
次に、第２実施形態に係る編地構成図について図２を用いて説明する。以下の説明において、第１実施形態と同一または同等の構成部分については同一符号を付けて説明を省略または簡略化する。図２（ａ）は第２実施形態に係る編地構成図２００の一例を示す平面図であり、図２（ｂ）は図２（ａ）に記載される数値の計算例を示す図である。
【００３１】
図２（ａ）に示すように、編地構成図２００は、紙体Ｐを有している。紙体Ｐの表面には、アークニット編みの編地の４分の１を形成しかつ中心点Ｏを頂点とする略扇形部分の構成が記載されている。紙体Ｐの表面には、略扇形Ｓ２と、中心点Ｏと、円弧Ａと、直線Ｌと、第１記載部Ｎ１と、ゲージＧ２と、編地の径方向の所定寸法Ｒ２とが記載されている。
【００３２】
略扇形Ｓ２は、上記した略扇形Ｓ１と同様に、中心角θが９０度の中心点Ｏを中心点とする略扇形である。略扇形Ｓ２は、紙体Ｐの左上側に中心点Ｏが位置するように配置されており、中心点Ｏからそれぞれ右方向及び下方向に引き出された直線Ｌ２１，Ｌ２２と、この直線Ｌ２１，Ｌ２２の先端どうしを接続する円弧Ａ２１とを有する構成となっている。略扇形Ｓ２の内部において、円弧Ａは７本、直線Ｌは１６本が記載されている。
【００３３】
編地構成図２００の各ブロックＢにおける編み目の段数は、すべて６段に設定されており、第１記載部Ｎ１の丸括弧内にはすべて６の数値が記載されている。第１記載部Ｎ１は、上下方向に延びる直線Ｌ２１に沿って、複数記載されている。
【００３４】
ゲージＧ２は、段数が１２、目数が１９に設定されている。
【００３５】
編地の径方向の所定寸法Ｒ２は、中心点Ｏから所定のブロックＢの外側の端部までの距離である。編地構成図２００が示す編地はいわゆる３段柄となっている。所定寸法Ｒ２は、中心点Ｏから径方向に３ブロック進みさらに同方向に３ブロック分進んだ場合の中心点Ｏからの距離（中心点Ｏと中心点Ｏから６ブロック目の端部との距離）に設定されている。
【００３６】
編地構成図２００の構成の一部を切り取って編み図に利用する場合、中心点Ｏから径方向に３ブロック単位で進んだ位置で中心点Ｏを中心とする円周方向に切断することが好ましい。そして、例えば、編地構成図２００の構成を用いて編まれるセーターの編み図が作図される場合、中心点Ｏから径方向に３ブロック分進んだ位置で円周方向に切断してこの切断した部分をセーターのネック部とし、かつ、中心点Ｏから径方向に、３ブロックの２倍の６ブロック分進んだ位置で円周方向に切断する構成を採用することが考えられるが、この場合、編み図の作図者は、編地構成図２００を参照して中心点Ｏから６ブロック目までの所定寸法Ｒ２を把握することができ、所定寸法Ｒ２に応じて編み図の寸法を決定する。編地構成図２００では、この所定寸法Ｒ２は、長さが３０ｃｍであり、編み目の段数に置き換えると３６段である。
【００３７】
次に、編地のブロックＢの段数及びゲージＧ２の値が設定されている場合の、所定寸法Ｒ２の長さ及び編地構成図２００において中心点Ｏを中心とする円周方向に形成されるブロックＢの形成数を求める計算の一例について説明する。以下、図２（ｂ）を参照しながら説明する。
【００３８】
所定寸法Ｒ２の長さは、６ブロック分の径方向の長さである。従って、所定寸法Ｒ２の長さ（３０ｃｍ）は、ブロックＢの編みの段数（６）に８を乗じ、さらに編地の径方向の１ｃｍ当たりの段数（１．２）で除することにより算出される。
【００３９】
また、中心点Ｏを中心とする円周方向に形成されるブロックＢの数の計算については、以下のとおりである。まず、所定寸法Ｒ２を半径とする円の直径（６０ｃｍ）が計算される。次いで、これに円周率（３．１４）を乗じると、当該円の円周の長さ（１８８．４ｃｍ）が算出される。さらに、これに編地の円周方向１ｃｍ当たりの目数（１．９）を乗じると、所定寸法Ｒ２を半径とする円形の編地の円周の目数（３５７．９６目）が算出される。続いて、これを４で除すると、円弧Ａ２２（図２（ａ）参照）の編みの目数（８９．４９目）が算出され、さらに、これを中心点Ｏから６段目のブロックＢにおける外側（中心点Ｏから離れている側）の円弧部分の編みの目数（６目）で除すると、略扇形Ｓ２において中心点Ｏを中心とする円周方向に形成されるブロックＢの形成数（１５ブロック）が算出される。例えばこのような計算により、編地構成図２００の作図に必要な各数値が導き出される。
【００４０】
＜第３実施形態＞
続いて、第３実施形態に係る編地構成図について図３を用いて説明する。以下の説明において、上記した実施形態と同一または同等の構成部分については同一符号を付けて説明を省略または簡略化する。図３（ａ）は第３実施形態に係る編地構成図３００の一例を示す平面図であり、図３（ｂ）は図３（ａ）に記載される数値の計算例を示す図である。
【００４１】
図３（ａ）に示すように、編地構成図３００は、紙体Ｐを有している。紙体Ｐの表面には、アークニット編みの編地の４分の１を形成しかつ中心点Ｏを頂点とする略扇形部分の構成が記載されている。紙体Ｐの表面には、略扇形Ｓ３と、中心点Ｏと、円弧Ａと、直線Ｌと、第１記載部Ｎ１と、ゲージＧ３と、編地の径方向の所定寸法Ｒ３とが記載されている。
【００４２】
略扇形Ｓ３は、上記した略扇形Ｓ１等と同様に、中心角θが９０度の中心点Ｏを中心点とする略扇形である。略扇形Ｓ３は、紙体Ｐの左上側に中心点Ｏが位置するように配置されており、中心点Ｏからそれぞれ右方向及び下方向に引き出された直線Ｌ３１，Ｌ３２と、この直線Ｌ３１，Ｌ３２の先端どうしを接続する円弧Ａ３１とを有する構成となっている。略扇形Ｓ３の内部において、円弧Ａは１２本、直線Ｌは１３本が記載されている。
【００４３】
編地構成図３００の各ブロックＢにおける編み目の段数は、すべて６段に設定されており、第１記載部Ｎ１の丸括弧内にはすべて６の数値が記載されている。第１記載部Ｎ１は、上下方向に延びる直線Ｌ３１に沿って、複数記載されている。
【００４４】
ゲージＧ３は、段数が２２、目数が２８に設定されている。
【００４５】
編地の径方向の所定寸法Ｒ３は、中心点Ｏから所定のブロックＢの外側の端部までの距離である。編地構成図３００が示す編地は、例えばいわゆる５段柄となっている。すなわち、編地構成図３００の編地は、所定寸法Ｒ３は、中心点Ｏから径方向に５ブロック進みさらに同方向に５ブロック分進んだ場合の中心点Ｏからの距離（中心点Ｏと中心点Ｏから１０ブロック目の端部との距離）に設定されている。所定寸法Ｒ３は、長さが２７．３ｃｍであり、編み目の段数に置き換えると６０段である。
【００４６】
次に、編地の所定寸法Ｒ３、ゲージＧ３、及び編地構成図３００において中心点Ｏを中心とする円周方向に形成されるブロックＢの形成数が設定されている場合において、各ブロックＢの段数を求める計算について説明する。このような計算は、特に、編み物の寸法並びに編地のゲージ及び段柄が既に決定されている場合において、編地の段模様のパターンが崩れることを回避しつつ所定の寸法で編地を切り取ることができる編地の構成を計算する場合に行われる。
【００４７】
以下、一例として、中心点Ｏから１０ブロック目（目柄のパターンが１０目単位となっている位置）で編地を切り取りたい場合の各ブロックＢの段数を求める計算について説明する。図３（ｂ）（ア）に示すように、目柄のパターン（１０目）に円周方向に形成されるブロックＢの形成数（１２ブロック）を乗じると、円弧Ａ３２の長さ（１２０目）が算出される。これに４を乗じると半径Ｒ３の円の円周（４８０目）が目数の単位で算出される。また、編地の円周方向１ｃｍ当たりの目数（２．８）で除すると目数が長さ（１７１．４２ｃｍ）に変換される。そして、これを円周率（３．１４）で除すると直径（５４．５９ｃｍ）が算出され、これを２で除すると半径（２７．３ｃｍ）が算出される。さらに、これに編地の径方向１ｃｍ当たりの段数（２．２）を乗じると、長さＲ３に相当する段数（６０段）が算出される。そして、計算式は図示しないが、この段数（６０段）をブロック数（１０ブロック）で除すると、１ブロックＢ当たりの段数（６段）が算出される。
【００４８】
また、編地の所定寸法Ｒ３及びゲージＧ３が既に設定されている場合であって、中心点Ｏから１０ブロック目（目柄のパターンが１０目単位となっている位置）で編地を切り取りたい場合に、略扇形Ｓ３において中心点Ｏを中心とする円周方向に形成されるブロックＢの形成数を求める計算の一例について説明する。図３（ｂ）（イ）に示すように、所定寸法Ｒ３に２を乗じて直径を計算し、これに円周率（３．１４）を乗じると所定寸法Ｒ３を半径とする円の円周（１７１．４４ｃｍ）が算出される。これを目数に変換し（４８０．０４目）、これを４で除すると円弧Ａ３１の目数（１２０．０１目）が計算され、これを所望の目数（１０目）で除すると求めるブロックＢの形成数（１２ブロック）が算出される。
【００４９】
＜第４実施形態＞
続いて、第４実施形態に係る編地構成図について図４を用いて説明する。以下の説明において、上記した実施形態と同一または同等の構成部分については同一符号を付けて説明を省略または簡略化する。図４（ａ）は第４実施形態に係る編地構成図４００の一例を示す平面図であり、図４（ｂ）は図４（ａ）に記載される数値の計算例を示す図である。
【００５０】
図４（ａ）に示すように、編地構成図４００は、紙体Ｐを有している。紙体Ｐの表面には、アークニット編みの編地の４分の１を形成しかつ中心点Ｏを頂点とする略扇形部分の構成が記載されている。紙体Ｐの表面には、略扇形Ｓ４と、中心点Ｏと、円弧Ａと、直線Ｌと、第１記載部Ｎ１と、ゲージＧ４と、編地の径方向の所定寸法Ｒ４とが記載されている。
【００５１】
略扇形Ｓ４は、上記した略扇形Ｓ１等と同様に、中心角θが９０度の中心点Ｏを中心点とする略扇形である。略扇形Ｓ４は、紙体Ｐの左上側に中心点Ｏが位置するように配置されており、中心点Ｏからそれぞれ右方向及び下方向に引き出された直線Ｌ４１，Ｌ４２と、この直線Ｌ４１，Ｌ４２の先端どうしを接続する円弧Ａ４１とを有する構成となっている。略扇形Ｓ４の内部において、円弧Ａは１２本、直線Ｌは９本が記載されている。
【００５２】
編地構成図４００の各ブロックＢにおける編み目の段数は、６段あるいは７段に設定されており、第１記載部Ｎ１の丸括弧内には６あるいは７の数値が記載されている。第１記載部Ｎ１は、上下方向に延びる直線Ｌ４１に沿って、複数記載されている。
【００５３】
ゲージＧ４は、段数が２７、目数が２０に設定されている。
【００５４】
編地の径方向の所定寸法Ｒ４は、中心点Ｏから所定のブロックＢの外側の端部までの距離である。編地構成図４００が示す編地は、例えばいわゆる４段柄となっている。所定寸法Ｒ４は、中心点Ｏから径方向（例えば下方向）に４ブロック進みさらに同方向に４ブロック分進んだ場合の中心点Ｏからの距離（中心点Ｏと中心点Ｏから８ブロック目の端部との距離）に設定されている。所定寸法Ｒ４は、長さが２０ｃｍであり、編み目の段数に置き換えると５４段である。
【００５５】
次に、編地の所定寸法Ｒ４、ゲージＧ４の値、及び編地構成図４００において中心点Ｏを中心とする円周方向に形成されるブロックＢの形成数が既に設定されている場合において、各ブロックＢの段数を求める計算について説明する。
【００５６】
以下、一例として、所定寸法Ｒ４が決まっている場合において、中心点Ｏから４ブロック目（目柄のパターンが４目単位となっている位置）で編地をセーターの前衿下がりとし、かつ中心点Ｏから４ブロック目の２倍の寸法である８ブロックの位置で切り取りたい場合の各ブロックＢの段数を求める計算について説明する。所定寸法Ｒ４の長さ（２０ｃｍ）に編地の径方向１ｃｍ当たりの段数（２．７）を乗じて、長さ（２０ｃｍ）を段数（５４目）に変換する。次に、図４（ｂ）に示すように、これをブロック数（８ブロック）で除すると、６．７５の数値が算出される。これにより、各ブロックＢの段数の構成については、径方向に８つのブロックＢある内、２つのブロックＢについては６段の構成とし、残り６ブロックＢについては７段の構成となる。
【００５７】
続いて、上記のように編地を切り取りたい場合に、編地構成図４００において中心点Ｏを中心とする円周方向に形成されるブロックＢの形成数を求める計算の一例について説明する。所定寸法Ｒ４（２０ｃｍ）に２を乗じて直径（４０ｃｍ）を計算し、これに円周率（３．１４）を乗じると所定寸法Ｒ４を半径とする円の円周（１２５．６ｃｍ）が算出される。これを目数に変換し（２５１．２目）、これを４で除すると円弧Ａ４１の目数（６２．８目）が計算され、これを所望の目数（８目）で除すると求めるブロックＢの形成数（８ブロック）が算出される。
【００５８】
＜第５実施形態＞
続いて、第５実施形態に係る編地構成図について図５を用いて説明する。以下の説明において、上記した実施形態と同一または同等の構成部分については同一符号を付けて説明を省略または簡略化する。図５（ａ）は第５実施形態に係る編地構成図５００の一例を示す平面図であり、図５（ｂ）は図５（ａ）に記載される数値の計算例を示す図である。
【００５９】
編地構成図５００は、アークニット編みを横編で編む場合の構成図であり、縦編みが採用される編地構成図１００〜４００とは異なる。編地構成図５００が示す編地は、中心点Ｏを中心とする円の円周方向に段を重ねるように編まれていく。
【００６０】
図５（ａ）に示すように、編地構成図５００は、紙体Ｐを有している。紙体Ｐの表面には、アークニット編みの編地の４分の１を形成しかつ中心点Ｏを頂点とする略扇形の構成が記載されている。紙体Ｐの表面には、略扇形Ｓ５と、中心点Ｏと、円弧Ａと、直線Ｌと、第１記載部（記載部）Ｎ５１と、ゲージＧ５と、編地の径方向の所定寸法Ｒ５と、編みパターン図Ｔが記載されている。
【００６１】
略扇形Ｓ５は、上記した略扇形Ｓ１等と同様に、中心角θが９０度の中心点Ｏを中心点とする略扇形である。略扇形Ｓ４は、紙体Ｐの左下側に中心点Ｏが位置するように配置されており、中心点Ｏからそれぞれ右方向及び上方向に引き出された直線Ｌ５１，Ｌ５２と、この直線Ｌ５１，Ｌ５２の先端どうしを接続する円弧Ａ５１とを有する構成となっている。略扇形Ｓ５の内部において、円弧Ａは１２本、直線Ｌは１６本が記載されている。
【００６２】
第１記載部Ｎ５１は、直線Ｌ５１の延びる方向（左右方向）に配列された一対の丸括弧を有している。第１記載部Ｎ５１は、数値と、当該数値の向きに図面を見た場合の左右方向から当該数値を挟み込む一対の丸括弧とを有している。第１記載部Ｎ５１は、ブロックＢを構成する編み目の目数（隣接する円弧Ａ間に有する編み目の目数）を表示するものであり、一対の丸括弧内には目数が記載されている。第１記載部Ｎ５１が表示する目数は８目となっている。このような第１記載部Ｎ５１は、左右方向に延びる直線Ｌ５１に沿って複数が記載されており、これらにより各ブロックＢにおける編み目の目数のそれぞれが表示されている。
【００６３】
ゲージＧ５は、段数が２８、目数が２３に設定されている。また、編みパターン図Ｔは、編み方を示す記号を用いて編地の詳細な編み方のパターンを示すものであり、紙体Ｐの右上に記載及び配置されている。
【００６４】
編地の径方向の所定寸法Ｒ５は、中心点Ｏから所定のブロックＢの外側の端部までの距離である。編地構成図５００が示す編地は、例えばいわゆる４目柄となっている。所定寸法Ｒ５は、中心点Ｏから径方向（例えば右方向）に４ブロック進みさらに同方向に４ブロック分進んだ場合の中心点Ｏからの距離（中心点Ｏと中心点Ｏから８ブロック目の端部との距離）に設定されている。所定寸法Ｒ５は、長さが２７．８２ｃｍであり、編み目の目数に置き換えると６４目である。
【００６５】
次に、編地のブロックＢの編み目の目数が８目、かつゲージＧ５の数値が設定されている場合に、編地構成図５００において中心点Ｏを中心とする円周方向に形成されるブロックＢの形成数を求める計算の一例について説明する。図５（ｂ）に示すように、ブロックＢの目数（８目）に所定寸法Ｒ５が有するブロック数（８ブロック）を乗じて、これを編地の径方向１ｃｍ当たりの目数（２．３）で除すると所定寸法Ｒ５（２７．８２ｃｍ）が算出される。これに２を乗じて直径（５５．６４ｃｍ）を計算し、これに円周率（３．１４）を乗じると所定寸法Ｒ５を半径とする円の円周（１７４．７ｃｍ）が算出される。これを段数に変換し（４８９．１６段）、これを４で除すると円弧Ａ５１の段数（１２２．２９目）が計算される。そして、これを所望の段数（８段）で除すると求めるブロックＢの形成数（１５ブロック）が算出される。
【００６６】
＜編み図の作図方法＞
続いて、上述した第１実施形態に係る編地構成図１００を用いた編み図の作図の方法の一例について説明する。図６は、編地構成図１００を用いた編み図の作図方法を示す概略平面図である。
【００６７】
まず、編地構成図１００が作図される。編地構成図１００は、ゲージＧ１や所定寸法Ｒ１などの各数値が所望の数値となるように形成される。また、作製される編み物の輪郭ｆを線で描いた輪郭線図Ｆが作図される。輪郭線図Ｆは、例えばトレーシングペーパーに製図される。その際、編地構成図１００と輪郭線図Ｆとは、縮尺が同一値に設定される。
【００６８】
次いで、図６に示すように、編地構成図１００の上方から輪郭線図Ｆを重ねて、さらに両図が所望の相対的位置に配置される。続いて、輪郭線図Ｆにおけるアークニット編みより編まれる領域に、編地構成図１００の構成の一部または全部がトレースされる。輪郭線図Ｆがトレーシングペーパーに描かれ、これにより輪郭線図Ｆの上から編地構成図１００の記載を確認できる場合、輪郭線図Ｆの上から編地構成図１００の線図等をそのままなぞる要領でトレースされる。輪郭線図Ｆの他の部分について、同一あるいは異なるアーク模様を形成する場合、上記したトレースの工程と同様の工程が必要回数繰り返される。この場合の編地構成図としては、上記した編地構成図１００を用いてもよいし、他の編地構成図２００等が用いられてもよい。このようにして、輪郭線図Ｆの所望の領域にアーク模様に係る構成図が記載される。最後に、輪郭線図Ｆに細部に係る寸法等が記入されて編み図が完成する。なお、第２〜第５実施形態に係る編地構成図１００〜５００を用いた編み図の作図方法についても、上述した作図方法と同様である。
【００６９】
このように、編地構成図１００等が編み図の作図に用いられることより、編み図のアークニット編みの部分は、輪郭線図Ｆの所望の領域に編地構成図１００等をトレースするだけで容易に作図される。また、これにより編み図のアークニット編み部分のブロックの段数等の数値は所望の数値に設定されるので、編み方に適合したアークニット編みの編み図を作図することが可能となる。
【００７０】
また、アークニット編みの段数や目数などの所定の数値計算は、中心角θが９０度の略扇形Ｓ１等を有する編地構成図１００等の作製段階で行われるので、輪郭線図Ｆの所定領域に弧模様を描いた後にこのような数値計算が行われる場合に比べて、数値計算が容易となる。
【００７１】
さらに、一度、編地構成図１００等を作図すれば、その後のアークニット編みの編み図の作図においてこれをテンプレートとして活用することができる。この場合、複数種類の編地構成図１００等を用意すれば、これらを適宜選択したり組み合わせたりしながら、種々の構成のアークニット編みの編み図を容易に作図することが可能となる。また、編み図において、中心角θが９０度以上のアーク模様（中心模様）や複数のアーク模様（中心模様）が作図される場合には、適宜編地構成図１００等の配置を変更しながらトレースすればよい。
【００７２】
以上、第１〜第５実施形態及び編み図の作図方法について説明したが、本考案は、上述した説明に限定されるものではなく、本考案の要旨を逸脱しない範囲において種々の変更が可能である。  
【００７３】
例えば、第１〜第５実施形態で説明した内容を適宜組み合わせることも可能である。また、編地構成図１００等に記載される直線Ｌ及び円弧Ａの数は任意であり、図１〜図５の各図に記載された直線Ｌ及び円弧Ａの一部は省略可能である。また、上記した編地構成図１００等における段数、目数、及びゲージＧ１等の数値は、任意に設定可能である。また、中心角θは９０度以外の角度に設定されてもよい。
【００７４】
また、編地構成図１００等は、紙体Ｐを有し、その表面にアークニット編みの構成に係る情報が記載されたものであるが、アークニット編みの構成に係る情報は、紙体Ｐに記載されることに代えて、電子情報として電子記録媒体に格納させてもよく、ソフトウェアとしてもよい。この場合、アークニット編みのブロックの段数等の数値を自動計算するプログラムを備える構成としてもよい。また、編地構成図１００等に係るアークニット編みの構成に関する情報をＰＣ等の電子計算機に接続された表示画面に表示させて、これと電子化された輪郭図Ｆのデータとを画面上で合成するようにしてもよい。
【符号の説明】
【００７５】
Ａ…円弧
Ａ１…円弧部
Ｌ…直線
Ｎ１，Ｎ５１…第１記載部（記載部）
О…中心点
Ｓ１，Ｓ２，Ｓ３，Ｓ４，Ｓ５…略扇形
θ…中心角
１００，２００，３００，４００，５００…編地構成図  
【図１】
0003198154.tif 000003
【図２】
0003198154.tif 000004
【図３】
0003198154.tif 000005
【図４】
0003198154.tif 000006
【図５】
0003198154.tif 000007
【図６】
0003198154.tif 000008